(57)【要約】【課題】従来の電話システムでは、一般の携帯端末からは他の端末の位置を知ることができず、特定の場所の端末に連絡したい場合や特定の端末の位置を知りたい場合に不便であるという問題点があり、一般の携帯端末から他の携帯端末の位置を閲覧し、所望の携帯端末に容易に連絡することができる電話システムを提供する。【解決手段】位置情報管理サーバ６が、予め登録されている各携帯端末１の携帯端末６番号及び使用者名と、各携帯端末１が位置登録しているエリア番号とを対応付けて位置管理テーブルに記憶しておき、任意の携帯端末１からのアクセスでエリア番号が入力されると、位置管理テーブルを参照して、当該エリア番号に対応して記憶されている携帯端末番号及びその使用者名を読み出して、要求元の携帯端末１に携帯端末番号及びその使用者名を一覧表示させる電話システムである。【選択図】        図１
2004221811.tif 000002
【特許請求の範囲】
【請求項１】
複数の携帯端末と、前記携帯端末と無線通信を行う接続装置と、前記複数の接続装置を統合して交換制御を行う制御装置とを備えた電話システムであって、
前記制御装置から前記各携帯端末が接続する接続装置に基づく位置情報を入力して、前記携帯端末の番号毎に記憶しておき、任意の携帯端末から位置情報を指定するアクセスがあった場合に、前記記憶されている情報を参照して、前記指定された位置情報に対応する携帯端末の番号の一覧を前記アクセス元の携帯端末に閲覧可能に出力する位置情報管理サーバを備え、
前記携帯端末が、前記位置情報管理サーバから出力された携帯端末の番号の一覧を表示し、前記一覧表示の中から任意の番号が選択されて発呼操作が為されると、前記番号に発呼する携帯端末であることを特徴とする電話システム。
【請求項２】
位置情報管理サーバが、携帯端末の番号毎に位置情報と各携帯端末の使用者名とを対応付けて記憶すると共に、指定された位置情報に対応する携帯端末の番号及び使用者名を閲覧可能に出力する位置情報管理サーバであり、
携帯端末が、前記位置情報管理サーバから出力された携帯端末の番号及び使用者名を一覧表示する携帯端末であることを特徴とする請求項１記載の電話システム。
【請求項３】
複数の携帯端末と、前記携帯端末と無線通信を行う接続装置と、前記複数の接続装置を統合して交換制御を行う制御装置とを備えた電話システムであって、
前記制御装置から前記携帯端末が接続する接続装置に基づく位置情報を入力して、前記携帯端末の番号及び使用者名と前記位置情報とを対応付けて記憶しておき、任意の携帯端末から携帯端末の番号又は使用者名を指定するアクセスがあった場合に、前記記憶されている情報を参照して、前記指定された番号又は使用者名に対応する位置情報と、前記指定された携帯端末の番号及びそれに対応する使用者名又は前記指定された使用者名及びそれに対応する携帯端末の番号を前記アクセス元の携帯端末に閲覧可能に出力する位置情報管理サーバを備え、
前記携帯端末が、前記位置情報管理サーバから出力された位置情報と携帯端末の番号及び使用者名を表示し、前記表示において前記携帯端末番号が選択されて発呼操作が為されると、前記携帯端末番号に発呼する携帯端末であることを特徴とする電話システム。
【発明の詳細な説明】
【０００１】
【発明の属する技術分野】
本発明は、工場や事業所等の構内で用いられる電話システムに係り、特に端末に他の端末の位置情報を表示して、連絡時の利便性を向上させることができる電話システムに関する。
【０００２】
【従来の技術】
会社や工場、事業所等においては、ＰＨＳ（Ｐｅｒｓｏｎａｌ  Ｈａｎｄｙ−Ｐｈｏｎｅ  Ｓｙｓｔｅｍ）等を用いたデジタルコードレス電話システムが広く利用されている。
このような電話システムでは、システム内の通信を制御する制御局が、エリア毎の通信を制御する基地局としての接続装置に位置登録している端末（ＰＳ；Ｐｅｒｓｏｎａｌ  Ｓｔａｔｉｏｎ）の番号を各基地局から受けて、各端末と位置登録している基地局とを対応付けておき、この情報を用いて交換制御を行うようになっている。
【０００３】
また、従来の電話システムでは、制御局から各端末と位置登録している接続装置とを対応付ける情報（位置情報）を取得して管理する位置管理サーバを備え、予め設定された特定の位置表示端末に位置情報を提供し、位置表示端末において、システム内の各携帯端末の位置を表示するようになっていた。
【０００４】
尚、従来の電話システムにおける端末の位置表示に関する技術としては、移動可能な位置表示装置で各端末の位置を表示するもの（例えば、特許文献１参照）や、位置表示装置の処理の負荷を軽減するもの（例えば特許文献２参照）や、任意の中継局が発呼された場合に、その中継局に位置登録されている携帯機が全て発呼されるよう制御するもの（例えば、特許文献３参照）がある。
【０００５】
【特許文献１】
特開平１０−９４０３５号公報
【特許文献２】
特開平１１−１７８０４０号公報
【特許文献３】
特開２０００−３５０２６５号公報
【０００６】
【発明が解決しようとする課題】
しかしながら、従来の電話システムでは、特定の位置表示端末で位置情報を表示するのみであるため、位置情報を見ることができるのは位置表示端末の管理者だけであり、一般の携帯端末の使用者は他の端末の位置を知ることができず、緊急時に特定の場所にいる人に連絡を取りたい場合や特定の携帯端末がどこにいるかを知りたい場合に不便であるという問題点があった。
【０００７】
本発明は上記実情に鑑みて為されたもので、一般の携帯端末から他の携帯端末の位置を閲覧することができ、緊急時に所望の携帯端末に容易に連絡することができ、利便性を向上させることができる電話システム及び携帯端末を提供することを目的とする。
【０００８】
【課題を解決するための手段】
上記従来例の問題点を解決するための本発明は、複数の携帯端末と、携帯端末と無線通信を行う接続装置と、複数の接続装置を統合して交換制御を行う制御装置とを備えた電話システムであって、制御装置から携帯端末が接続する接続装置に基づく位置情報を入力して、携帯端末の番号毎に記憶しておき、任意の携帯端末から位置情報を指定するアクセスがあった場合に、記憶されている情報を参照して、指定された位置情報に対応する携帯端末の番号の一覧をアクセス元の携帯端末に閲覧可能に出力する位置情報管理サーバを備え、携帯端末が、位置情報管理サーバから出力された携帯端末の番号の一覧を表示し、一覧表示の中から任意の番号が選択されて発呼操作が為されると、当該番号に発呼する携帯端末である電話システムとしており、携帯端末の使用者は、特定の場所にいる人達に連絡を取りたい場合に、自分の携帯端末を用いて所望のエリアにいる携帯端末の番号を容易に知ることができ、また、その中から任意の携帯端末に簡単な操作で発呼することができ、利便性を向上させることができる。
【０００９】
また、本発明は、上記電話システムにおいて、位置情報管理サーバが、携帯端末の番号毎に位置情報と各携帯端末の使用者名とを対応付けて記憶すると共に、指定された位置情報に対応する携帯端末の番号及び使用者名を閲覧可能に出力する位置情報管理サーバであり、携帯端末が、位置情報管理サーバから出力された携帯端末の番号及び使用者名を一覧表示する携帯端末であるものとしており、所望のエリアにいる人が誰であるのかを容易に知ることができ、利便性を向上させることができる。
【００１０】
また、本発明は、複数の携帯端末と、携帯端末と無線通信を行う接続装置と、複数の接続装置を統合して交換制御を行う制御装置とを備えた電話システムであって、制御装置から携帯端末が接続する接続装置に基づく位置情報を入力して、携帯端末の番号及び使用者名と位置情報とを対応付けて記憶しておき、任意の携帯端末から携帯端末の番号又は使用者名を指定するアクセスがあった場合に、記憶されている情報を参照して、指定された番号又は使用者名に対応する位置情報と、指定された携帯端末の番号及びそれに対応する使用者名又は指定された使用者名及びそれに対応する携帯端末の番号を当該アクセス元の携帯端末に閲覧可能に出力する位置情報管理サーバを備え、携帯端末が、位置情報管理サーバから出力された位置情報と携帯端末の番号及び使用者名を表示し、当該表示において携帯端末番号が選択されて発呼操作が為されると、当該携帯端末番号に発呼する携帯端末である電話システムとしており、携帯端末の使用者が、特定の携帯端末やその使用者どこにいるかを自分の携帯端末を用いて容易に知ることができ、相手がどこにいるかを確認した上で簡単な操作で発呼でき、利便性を向上させることができる。
【００１１】
【発明の実施の形態】
本発明の実施の形態について図面を参照しながら説明する。
本発明の電話システムは、携帯端末の番号と当該携帯端末が位置登録している接続装置の識別情報とを対応付ける位置情報を記憶しておき、携帯端末から接続装置を特定するデータを用いたアクセスがあると、当該接続装置に位置登録している携帯端末の番号及びその使用者をアクセス元の携帯端末に一覧表示するサーバを備えたものであり、アクセス元の携帯端末の使用者は、自分の携帯端末から他の携帯端末がいる位置を容易に知ることができるものである。
【００１２】
また、本発明は、携帯端末が、携帯端末の番号を一覧表示している際に、任意の携帯端末が選択されて発呼操作が為されると、当該端末宛に発呼するようにしており、所望の場所にいる携帯端末に少ない操作で迅速に発呼することができるものである。
【００１３】
また、本発明は、携帯端末から任意の携帯端末の番号や使用者名を指定するアクセスがあると、記憶している位置情報に基づいて、当該端末番号や使用者に対応する端末の所在地をアクセス元の携帯端末に表示するサーバを備えた電話システムであり、アクセス元の携帯端末の使用者は、連絡を取りたい人がどこに居るのかを知ることができる。
【００１４】
まず、本発明の実施の形態に係る電話システムの構成について説明する。
図１は、本発明の実施の形態に係る電話システムの構成ブロック図である。
本実施の形態の電話システムは、デジタルコードレス電話システムであり、図１に示すように、複数の携帯端末（ＰＳ）１と、複数の接続装置（ＢＳ）２と、集線装置（ＳＣＳ）３と、統合制御装置（ＣＳ）４と、管理コンソール５と、位置情報管理サーバ６と、位置表示端末７と、ＰＢＸ８とから構成されている。
【００１５】
各構成部分について具体的に説明する。
携帯端末（ＰＳ）１は、本発明のデジタルコードレス電話システムの端末であり、ユーザが携帯して用いるものである。そして、本システムの携帯端末１は、Ｗｅｂブラウザを備えており、位置情報管理サーバ６が提供する位置情報を閲覧可能なものである。また、本システムの携帯端末１は、位置情報管理サーバ６に接続する指示入力のために、メニュー画面に「位置情報閲覧」等のメニューを設け、これが選択されると位置情報管理サーバ６にアクセスするものである。
【００１６】
接続装置（ＢＳ）２は、本システムの基地局であって、従来と同様にカバーするエリア内に位置する携帯端末１と無線信号の送受信を行うものである。
また、集線装置（ＳＣＳ）３は、複数の接続装置２に接続され、各接続装置２を統合制御装置（ＣＳ）に接続するものである。また、集線装置３は、構内ＬＡＮに接続されている。
【００１７】
統合制御装置（ＣＳ）４は、従来と同様に、接続装置２毎に、位置登録している携帯端末１の番号を管理してシステム全体の交換制御を行うものである。
管理コンソール５は、従来と同様に、統合制御装置４にパラメータや管理情報を入力したりメンテナンスを行うものである。
【００１８】
位置情報管理サーバ６は、予め登録されている各携帯端末１の番号（内線番号）と、当該携帯端末１の使用者とを対応付けて記憶すると共に、統合制御装置４からの位置情報に基づいて、携帯端末１毎に位置登録している接続装置２のカバーするエリア番号を位置情報として記憶しているものである。
【００１９】
そして、本システムの特徴として、位置情報管理サーバ６は、システム内の携帯端末１から随時閲覧可能なＷｅｂサイトを提供するＷｅｂサーバであり、当該Ｗｅｂサイトは、他の携帯端末の位置や使用者の情報を任意の携帯端末１に閲覧可能に出力するものである。そのため、位置情報管理サーバ６は、携帯端末１からのデータ入力をサポートする画面データを複数備えている。また、閲覧データは、携帯端末１からの要求に応じて統合制御装置４及び集線装置３を介して出力されるようになっている。
【００２０】
更に、位置情報管理サーバ６は、構内ＬＡＮを介して集線装置３及び位置表示端末７に接続され、当該Ｗｅｂサイトは、構内ＬＡＮに接続された位置表示端末７以外のＷｅｂブラウザを備えた情報表示端末（パーソナルコンピュータ等）からでも閲覧可能となっている。位置管理サーバ６の動作については後で詳細に説明する。
【００２１】
また、位置表示端末７は、従来の電話システムにおいて用いられていたものと同様のものであり、位置情報管理サーバ６に管理されている携帯端末の位置に関する情報を、構内ＬＡＮを介して閲覧するものである。
ＰＢＸ８は、本電話システムと構内の有線電話機や外部の公衆回線とを接続し、交換制御を行うものである。
【００２２】
ここで、本システムにおける位置情報の管理について図２を用いて説明する。図２は、本システムにおける位置情報の模式説明図である。
本システムでは、図２に示すように、従来と同様に各接続装置（ＢＳ１〜ＢＳ３）は、自己がカバーするエリア内にいて無線交信を行っている携帯端末（ＰＳ１〜ＰＳ８）を、位置登録している携帯端末としてその番号を管理している。ここでは、エリア１のＢＳ１にはＰＳ１〜３が位置登録し、エリア２のＢＳ２にはＰＳ４〜６が位置登録し、エリア３のＢＳ３にはＰＳ７，８が位置登録している。
【００２３】
そして、各接続装置２に位置登録している携帯端末１の番号は、図１に示した集線装置３を介して統合制御装置４に入力され、統合制御装置４では、各々の接続装置２毎に位置登録している携帯端末１の番号を記憶し、通信制御を行う際に用いる。
【００２４】
更に、接続装置２毎の位置登録している携帯端末１の番号の情報は、位置管理サーバ６に出力され、位置管理サーバ６が、予め記憶している携帯端末番号に対応して、位置登録している接続装置２に対応するエリア番号を位置情報として記憶する。
【００２５】
ここで、位置管理サーバ６における位置管理テーブルについて図３を用いて説明する。図３は、位置管理テーブルの説明図である。
図３に示すように、位置管理テーブルは、予め本システムに登録している携帯端末１の番号及び使用者名と、位置とを対応付けて記憶しているものである。位置の情報は、各携帯端末１が位置登録している接続装置２のエリア番号であり、統合制御装置４から入力される情報に基づいて、位置情報管理サーバ６が書き込むものである。携帯端末１が位置を移動した場合には、その都度、統合制御装置４から新しい情報が出力され、位置情報管理サーバ６が位置管理テーブルを更新するようになっている。
【００２６】
図３の例では、番号「８１０１」の携帯端末はＢＳ２がカバーするエリア２に位置登録しており、「○○△△」の携帯端末はエリア１に位置登録しており、「７１０９」の携帯端末はエリア２に位置登録している。また、電源が切られているか、本システムのエリア外にいて、いずれの接続装置にも位置登録していない携帯端末については、位置管理テーブルの「位置」は空欄となっている。
【００２７】
次に、本システムにおける位置情報表示の動作について説明する。
携帯端末１の利用者が、携帯端末１上で位置管理サーバ６の情報を閲覧したい場合、携帯端末１のメニューから「位置情報閲覧」等のメニューを選択する。すると、携帯端末１は、接続装置２及び集線装置３及び統合制御装置４を経て位置情報管理サーバ６に接続し、位置情報管理サーバ６が備えるメニューが表示される。本システムでは、位置情報管理サーバ６の情報提供メニューとしては「エリア入力」「内線番号位置検索」がある。そして、利用者は携帯端末１上で所望のメニューを選択することにより、情報を閲覧できるようになっている。
【００２８】
次に、「エリア入力」の表示画面及び利用者の操作について図４を用いて説明する。図４は、「エリア入力」の表示画面及び操作例を示す説明図である。
本システムでは、携帯端末１が位置情報管理サーバ６に接続され、「エリア入力」が選択されると、位置情報管理サーバ６は、統合制御装置４、集線装置３、接続装置２を介してアクセス元の携帯端末１に図４（１）に示すエリア入力画面を出力する。
【００２９】
本システムのエリア入力画面は、利用者が特定のエリアにいる人が誰であるかを知りたい場合、又は特定のエリアにいる人に連絡を取りたい場合に使うものであり、利用者と同じエリアにいる携帯端末を検索する「同一エリア」と、任意のエリア番号を入力してそこにいる携帯端末を検索する「エリア番号入力」とがある。
図４（１）では、「エリア番号入力」でエリア２が入力され、決定されたところを示している。
【００３０】
尚、「エリア番号入力」において、各エリア番号とそのエリアを分かり易く表す言葉（例えば、「○○実験室」「○号棟○階」「○○課室」等）を、エリア情報として表示可能なメニューを備えるようにしてもよい。この場合、位置情報管理サーバ６に、各エリア番号とそれに対応するエリア情報とを対応付けたテーブルを記憶しておき、携帯端末１から要求があればこのテーブルを閲覧させるものである。
【００３１】
そして、携帯端末１で選択された「エリア２」のデータは位置情報管理サーバ６に出力され、位置情報管理サーバ６は、位置管理テーブルを参照して、エリア２に位置登録している携帯端末の番号及び使用者名の一覧を読み出し、要求元の携帯端末１に出力する。
【００３２】
携帯端末１では、図４（２）に示すように、エリア２に位置登録している携帯端末番号及び使用者名を一覧表示する。
そして、本発明の実施の形態に係る携帯端末１では、一覧表示している携帯端末番号の中から任意の番号が選択され、オフフックボタンが押下されると、当該携帯端末の番号宛に発呼するようになっている（図４（３））。
【００３３】
これにより、本携帯端末の利用者は、所望のエリアに位置している携帯端末の番号及び使用者を知ることができ、その中から所望の相手を選択して簡単に発呼することができるものである。
尚、ここでは携帯端末番号とその使用者名とを両方とも表示しているが、いずれか一方のみを表示するようにしてもよい。
【００３４】
また、図４（１）で「同一エリア」が選択された場合には、位置情報管理サーバ６は、位置管理テーブルを参照して、アクセス元の携帯端末１が位置登録しているエリアと同一のエリアに位置登録している携帯端末の番号を読み出してアクセス元の携帯端末１に一覧表示するようになっている。そして、「同一エリア」の場合にも、表示の中から選択された番号に簡単に発呼できるようにしている。
【００３５】
また、「同一エリア」にいる携帯端末の番号を一覧表示する際に、当該「同一エリア」のエリア番号を合わせて表示してもよく、このようにすれば、自分が位置しているエリアの番号を容易に知ることができ、近隣のエリアにいる携帯端末を検索する際にエリア番号の見当がつきやすい。
【００３６】
これにより、テーマパークや工場内等において、何らかの作業をするにあたり人手が欲しい場合に、利用者は、自分の携帯端末を利用して、同一エリア又は近隣エリアにいる携帯端末１を簡単な操作で呼び出すことができ、利便性を向上させることができるものである。
【００３７】
次に、「位置情報管理サーバ６」のメニューから「内線番号位置検索」が選択された場合の表示画面及び利用者の操作について図５を用いて説明する。図５は、「内線番号位置検索」の表示画面及び利用者の操作を示す説明図である。
内線番号位置検索は、利用者が特定の内線番号の携帯端末がどこにいるかを知りたい場合に利用するものであり、携帯端末１が位置情報管理サーバ６にアクセスして、メニューの中から「内線番号位置検索」が選択されると、位置情報管理サーバ６は、図５（１）に示すように、携帯端末１に、特定の内線番号を入力する内線番号位置検索画面を表示出力するようになっている。
【００３８】
そして、利用者は表示された画面の指示に基づいて、入力エリアに検索したい内線番号を入力する。図５（１）の例では、内線番号「８１０１」が入力されて決定されたところを示している。
【００３９】
そして、携帯端末１から入力された「８１０１」が位置情報管理サーバ６に出力されると、位置情報管理サーバ６が位置管理テーブルを参照して、当該番号の携帯端末に対応する位置情報を取得して、アクセス元の携帯端末１に「エリア２に存在します」というメッセージを表示出力する（図５（２））。
【００４０】
尚、（２）の画面において、問い合わせた内線番号に対応する使用者名を表示するようにしているので、利用者は、所在地だけでなく、使用者を確認することができ、更に内線番号を選択してオフフックキーを押下することにより当該内線番号に発呼するようにしている（図５（３））ので、利便性を向上させることができるものである。
【００４１】
これにより利用者は、ある人に連絡を取りたい場合、その人がどこにいるのかを簡単に知ることができ、更に少ない操作で発呼することができるものである。
また、例えば、上司が自分の携帯端末から、部下の携帯端末の所在を閲覧して、部下が正規の場所で勤務しているかどうかを確認する、といった使い方もできるものである。
【００４２】
また、不正な使い方をされる恐れがなければ、内線番号の代わりに使用者名を入力して、当該使用者に対応する携帯端末の位置を閲覧する「使用者位置検索」といったメニューを設けてもよい。この場合には、位置情報管理サーバ６は、位置管理テーブルを参照して、携帯端末１から入力された使用者名に対応する携帯端末の位置を読み取って、図５（２）に示した画面を表示する。
【００４３】
このような「使用者位置検索」のメニューを設ければ、特定の人の位置を確認した上で連絡を取りたいが、その人の携帯端末番号が分からない場合に、使用者の名前で検索することができ、利便性を向上させることができるものである。
【００４４】
本発明の実施の形態に係る電話システムによれば、Ｗｅｂサーバである位置情報管理サーバ６が、予め登録されている各携帯端末１の携帯端末６番号及び使用者名と、各携帯端末１が位置登録しているエリア番号とを対応付けて位置管理テーブルに記憶しておき、任意の携帯端末１からアクセスがあって、「エリア番号入力」が指定されるとエリア番号入力画面を表示出力し、携帯端末１からエリア番号が入力されると、位置管理テーブルを参照して、当該エリア番号に対応して記憶されている携帯端末番号及びその使用者名を読み出して、要求元の携帯端末１に携帯端末番号及びその使用者名を一覧表示させる電話システムとしているので、利用者は、自分の携帯端末１を用いて特定のエリアにいる人を容易に知ることができる効果がある。
【００４５】
また、本電話システムによれば、位置情報管理サーバ６が、携帯端末１からアクセスがあって、「内線番号位置検索」が指定されると内線番号位置検索画面を表示出力し、携帯端末１から内線番号が入力されると、位置管理テーブルを参照して、当該内線番号に対応して記憶されているエリア番号を読み出して、要求元の携帯端末１に表示させる電話システムとしているので、利用者は、自分の携帯端末１を用いて他の携帯端末１がどのエリアにいのかを容易に知ることができる効果がある。
【００４６】
また、本電話システムによれば、携帯端末が、Ｗｅｂブラウザを備え、位置情報管理サーバ６にアクセスして、位置情報管理サーバ６から出力された携帯端末の番号を一覧表示し、一覧表示された携帯端末番号の中から任意の携帯端末が選択され、発呼キーが押下されると、当該携帯端末宛に発呼するようにしているので、所望のエリア内の端末の中から所望の端末にワンタッチで発呼でき、容易に連絡を取ることができる効果がある。
【００４７】
また、本システムによれば、携帯端末が、位置情報管理サーバ６にアクセスして、指定した端末番号の携帯端末がいるエリア番号を表示した場合に、エリア番号と共に表示されている携帯端末端末の番号が選択されて発呼キーが押下されると、当該携帯端末宛に発呼するようにしているので、指定した端末の所在地を確認してからワンタッチで発呼でき、容易に連絡を取ることができる効果がある。
【００４８】
また、本システムによれば、位置情報管理サーバ６が、構内ＬＡＮを介して集線装置及び構内の情報表示装置（パソコン等）に接続されているので、携帯端末１の位置を表示するＷｅｂページを構内のパソコンからも閲覧可能となり、デスクワーク中でも容易に携帯端末１の位置や特定位置にいる携帯端末１を閲覧することができ、利便性を向上させることができる効果がある。
【００４９】
【発明の効果】
本発明によれば、複数の携帯端末と、携帯端末と無線通信を行う接続装置と、複数の接続装置を統合して交換制御を行う制御装置とを備えた電話システムであって、制御装置から携帯端末が接続する接続装置に基づく位置情報を入力して、位置情報管理サーバが、携帯端末の番号毎に記憶しておき、任意の携帯端末から位置情報を指定するアクセスがあった場合に、記憶されている情報を参照して、指定された位置情報に対応する携帯端末の番号の一覧をアクセス元の携帯端末に閲覧可能に出力し、携帯端末が、位置情報管理サーバから出力された携帯端末の番号の一覧を表示し、一覧表示の中から任意の番号が選択されて発呼操作が為されると、当該番号に発呼する電話システムとしているので、携帯端末の使用者は、特定の場所にいる人達に連絡を取りたい場合に、自分の携帯端末を用いて所望のエリアにいる携帯端末の番号を容易に知ることができ、また、その中から任意の携帯端末に簡単な操作で発呼することができ、利便性を向上させることができる効果がある。
【００５０】
また、本発明によれば、上記電話システムにおいて、位置情報管理サーバが、携帯端末の番号毎に位置情報と各携帯端末の使用者名とを対応付けて記憶すると共に、指定された位置情報に対応する携帯端末の番号及び使用者名を閲覧可能に出力し、携帯端末が、位置情報管理サーバから出力された携帯端末の番号及び使用者名を一覧表示する電話システムとしているので、所望のエリアにいる人が誰であるのかを容易に知ることができ、利便性を向上させることができる効果がある。
【００５１】
また、本発明によれば、複数の携帯端末と、携帯端末と無線通信を行う接続装置と、複数の接続装置を統合して交換制御を行う制御装置とを備えた電話システムであって、制御装置から携帯端末が接続する接続装置に基づく位置情報を入力して、携帯端末の番号及び使用者名と位置情報とを対応付けて記憶しておき、任意の携帯端末から携帯端末の番号又は使用者名を指定するアクセスがあった場合に、記憶されている情報を参照して、指定された番号又は使用者名に対応する位置情報と、指定された携帯端末の番号及びそれに対応する使用者名又は指定された使用者名及びそれに対応する携帯端末の番号を当該アクセス元の携帯端末に閲覧可能に出力する位置情報管理サーバを備え、携帯端末が、位置情報管理サーバから出力された位置情報と携帯端末の番号及び使用者名を表示し、当該表示において携帯端末番号が選択されて発呼操作が為されると、当該携帯端末番号に発呼する電話システムとしているので、携帯端末の使用者が、特定の携帯端末やその使用者どこにいるかを自分の携帯端末を用いて容易に知ることができ、相手がどこにいるかを確認した上で簡単な操作で発呼でき、利便性を向上させることができる効果がある。
【図面の簡単な説明】
【図１】本発明の実施の形態に係る電話システムの構成ブロック図である。
【図２】本システムにおける位置情報の模式説明図である。
【図３】位置管理テーブルの説明図である。
【図４】「エリア入力」の表示画面及び操作例を示す説明図である。
【図５】「内線番号位置検索」の表示画面及び利用者の操作を示す説明図である。
【符号の説明】
１…携帯端末（ＰＳ）、  ２…接続装置（ＢＳ）、  ３…集線装置（ＳＣＳ）、  ４…統合制御装置（ＣＳ）、  ５…管理コンソール、  ６…位置情報管理サーバ、  ７…位置表示端末、  ８…ＰＢＸ（構内交換機）
【図１】
2004221811.tif 000003
【図２】
2004221811.tif 000004
【図３】
2004221811.tif 000005
【図４】
2004221811.tif 000006
【図５】
2004221811.tif 000007